(57)【要約】【課題】種々のコーデックを搭載しなくても、端末装置のコーデックに応じた疎通試験を行うことができる疎通試験装置を提供する。【解決手段】端末装置から送信される当該端末装置が利用可能なコーデックを示すコーデック情報を含む接続要求情報を受信する第１受信部と、前記受信した接続要求情報からコーデック情報を抽出するコーデック情報抽出部と、前記コーデック情報抽出部によって抽出された前記コーデック情報を前記接続要求情報を送信した端末装置に送信する第１送信部と、前記送信されたコーデック情報に応じて前記端末装置から送信されるパケットを受信する第２受信部と、前記受信したパケットに含まれるヘッダとペイロードのうち、ヘッダを書き換えて当該ペイロードに付与して応答情報を生成する応答情報生成部と、前記応答情報生成部によって生成された応答情報を前記端末装置に送信する第２送信部とを有する。【選択図】図１
2011176620.tif 000002
【特許請求の範囲】
【請求項１】
複数の端末装置が接続される疎通試験装置であって、
前記端末装置から送信される当該端末装置が利用可能なコーデックを示すコーデック情報を含む接続要求情報を受信する第１受信部と、
前記第１受信部が受信した接続要求情報からコーデック情報を抽出するコーデック情報抽出部と、
前記コーデック情報抽出部によって抽出された前記コーデック情報を前記接続要求情報を送信した端末装置に送信する第１送信部と、
前記第１送信部によって送信されたコーデック情報に応じて前記端末装置から送信されるパケットを受信する第２受信部と、
前記第２受信部が受信したパケットに含まれるヘッダとペイロードのうち、ヘッダを書き換えて当該ペイロードに付与して応答情報を生成する応答情報生成部と、
前記応答情報生成部によって生成された応答情報を前記端末装置に送信する第２送信部と、
を有することを特徴とする疎通試験装置。
【請求項２】
前記コーデック情報抽出部は、前記コーデック情報に複数のコーデックの種類が含まれている場合、いずれか１つのコーデックの種類を抽出することを特徴とする請求項１記載の疎通試験装置。
【請求項３】
前記第２送信部は、前記第２受信部がパケットを受信してから一定時間経過した後に、前記応答情報を前記端末装置に送信することを特徴とする請求項１または請求項２に記載の疎通試験装置。
【請求項４】
前記第１受信部が受信した接続要求情報のヘッダに含まれる発信元を着信先にし、接続要求情報のヘッダに含まれる着信先を発信元にしたヘッダを生成し、当該ヘッダを前記第１受信部が受信した接続要求情報のコーデック情報に付与する呼び返し部と、
前記呼び返し部によってヘッダが付与されたコーデック情報を前記端末装置に送信する第３送信部と、
を有することを特徴とする請求項１から請求項３のうちいずれか１項に記載の疎通試験装置。
【発明の詳細な説明】
【技術分野】
【０００１】
本発明は、端末装置の疎通状態を試験する疎通試験装置に関する。
【背景技術】
【０００２】
公衆回線網に接続された端末装置が正しく通信を行うことができているか否かの疎通確認を行う場合、公衆回線網を介して端末装置と疎通試験装置とを接続し、疎通試験が行われている。このような疎通試験は、複数の端末装置を対象として行われることがある。この場合、試験手順が定義されたシナリオに沿って、複数の端末装置を対象として疎通試験を行うものがある（例えば、特許文献１参照）。また、ＩＰネットワークに接続された端末装置について、疎通試験を行うものもある（例えば、特許文献２参照）。
一方、近年、多様なコーデックに対応したネットワークを構築し、これに端末装置を接続して様々なコーデックを用いてサービスを提供することも行われつつある。
【先行技術文献】
【特許文献】
【０００３】
【特許文献１】特開２００６−３５２６２５号公報
【特許文献２】特開２００９−１９４７０９号公報
【発明の概要】
【発明が解決しようとする課題】
【０００４】
しかしながら、上述した、多様なコーデックに対応したネットワークにおける疎通試験を考えた場合、それぞれの端末装置について疎通確認するためには、疎通試験装置側において様々なコーデックに対応している必要がある。すなわち、端末装置側が有するコーデックと同じコーデックを疎通試験装置が有していないと、疎通試験を行うことができないため、端末装置側が有するコーデックと同じコーデックを疎通試験装置に設け、端末装置と同じコーデックに従って疎通試験を行う必要がある。
【０００５】
このように、多様な端末、多様なコーデックに対応しようとする場合、種々のコーデックに対応した疎通試験装置をそれぞれ新たに設けるか、あるいは、種々のコーデックを疎通試験装置に搭載する必要がある。この状況においてさらに、新たなコーデックが提供されたとすると、その新たなコーデックが追加される都度、疎通試験装置側において、追加されたコーデックに対応させる必要がある。
ここで、上述した特許文献１および２については、疎通試験を行うものではあるが、種々のコーデックに対応できるものではないので、上述の問題を解決するものではない。
【０００６】
本発明は、このような事情に鑑みてなされたもので、その目的は、種々のコーデックを搭載しなくても、端末装置のコーデックに応じた疎通試験を行うことができる疎通試験装置を提供することにある。
【課題を解決するための手段】
【０００７】
上述した課題を解決するために、本発明は、複数の端末装置が接続される疎通試験装置であって、前記端末装置から送信される当該端末装置が利用可能なコーデックを示すコーデック情報を含む接続要求情報を受信する第１受信部と、前記第１受信部が受信した接続要求情報からコーデック情報を抽出するコーデック情報抽出部と、前記コーデック情報抽出部によって抽出された前記コーデック情報を前記接続要求情報を送信した端末装置に送信する第１送信部と、前記第１送信部によって送信されたコーデック情報に応じて前記端末装置から送信されるパケットを受信する第２受信部と、前記第２受信部が受信したパケットに含まれるヘッダとペイロードのうち、ヘッダを書き換えて当該ペイロードに付与して応答情報を生成する応答情報生成部と、前記応答情報生成部によって生成された応答情報を前記端末装置に送信する第２送信部と、を有することを特徴とする。
【０００８】
また、本発明は、上述の疎通試験装置において、前記コーデック情報抽出部は、前記コーデック情報に複数のコーデックの種類が含まれている場合、いずれか１つのコーデックの種類を抽出することを特徴とする。
【０００９】
また、本発明は、上述の疎通試験装置において、前記第２送信部は、前記第２受信部がパケットを受信してから一定時間経過した後に、前記応答情報を前記端末装置に送信することを特徴とする。
【００１０】
また、本発明は、上述の疎通試験装置において、前記第１受信部が受信した接続要求情報のヘッダに含まれる発信元を着信先にし、接続要求情報のヘッダに含まれる着信先を発信元にしたヘッダを生成し、当該ヘッダを前記第１受信部が受信した接続要求情報のコーデック情報に付与する呼び返し部と、前記呼び返し部によってヘッダが付与されたコーデック情報を前記端末装置に送信する第３送信部と、を有することを特徴とする。
【発明の効果】
【００１１】
以上説明したように、この発明によれば、端末装置から送信されるコーデック情報を含む接続要求情報を受信し、この接続要求情報からコーデック情報を抽出して接続要求情報を送信した端末装置に送信し、このコーデック情報に応じて端末装置から送信されるパケットを受信し、この受信したパケットに含まれるヘッダとペイロードのうち、ヘッダを書き換えて当該ペイロードに付与して端末装置に送信するようにした。これにより、端末装置が有するコーデックと同じコーデックを有していなくても、疎通試験を行うことができる。
【図面の簡単な説明】
【００１２】
【図１】この発明の一実施形態による疎通試験装置１００を含む疎通試験システム１の構成を示す概略図である。
【図２】疎通試験装置１００の構成を表す概略ブロック図である。
【図３】発信試験機能を実施する場合における疎通試験装置１００の動作を説明するシーケンス図である。
【図４】着信試験機能を実施する場合における疎通試験装置１００の動作を説明する図である。
【発明を実施するための形態】
【００１３】
以下、本発明の一実施形態による疎通試験装置について図面を参照して説明する。
図１は、この発明の一実施形態による疎通試験装置１００を含む疎通試験システム１の構成を示す概略図である。疎通試験システム１は、疎通試験装置１００と、端末装置２００、２１０、２２０、２３０、２４０とが、もしくは網）ネットワーク３００を介して接続され、ＳＩＰ（Ｓｅｓｓｉｏｎ  Ｉｎｉｔｉａｔｉｏｎ  Ｐｒｏｔｏｃｏｌ）のプロトコルに従って通信を行う。
端末装置２００は、Ｇ．７１１μｌａｗのコーデックを搭載し、端末装置２１０は、Ｇ．７１１．１とＧ．７１１μｌａｗのコーデックを搭載し、端末装置２２０は、Ｇ．７１１μｌａｗとＭＰＥＧ−４  Ｖｉｓｕａｌのコーデックを搭載し、端末装置２３０は、Ｇ．７１１．１とＭＰＥＧ−４  Ｖｉｓｕａｌのコーデックを搭載し、端末装置２４０は、これらのコーデックではない新たなコーデック（例えば、未知のコーデック）を搭載している。疎通試験装置１００は、これら端末装置２００〜２４０のそれぞれに対し、疎通試験を行う機能を有する。
【００１４】
図２は、疎通試験装置１００の構成を表す概略ブロック図である。疎通試験装置１００は、受信部１１０と、送信データ生成部１２０と、送信部１３０とを有する。
【００１５】
受信部１１０は、第１受信部１１１と、第２受信部１１２を有し、各端末装置（２００〜２４０）から送信される各種情報を受信する。
第１受信部１１１は、各端末装置（２００〜２４０）から送信される接続要求情報であって、当該端末装置が利用可能なコーデックを示すコーデック情報を含む接続要求情報を受信する。この接続要求情報は、例えば、コーデックの種類を含むＳＤＰ（Ｓｅｓｓｉｏｎ  Ｄｅｓｃｒｉｐｔｉｏｎ  Ｐｒｏｔｏｃｏｌ）が記述された情報が含まれる。コーデックの種類は、送信元の端末装置に搭載されたコーデックを示す情報であり、１種類のみ含む場合や、複数種類を含む場合がある。
第２受信部１１２は、第１送信部１３１によって送信されたコーデック情報に対応するパケットであって端末装置から送信されるパケットを受信する。
【００１６】
送信データ生成部１２０は、コーデック情報抽出部１２１と、応答情報生成部１２２と、呼び返し部１２３とを有し、発信試験と着信試験とをそれぞれ実施するための情報を生成する。
〈発信試験〉
コーデック情報抽出部１２１は、第１受信部１１１が受信した接続要求情報からコーデック情報を抽出する。このコーデック情報抽出部１２１は、コーデック情報に複数のコーデックの種類が含まれている場合、いずれか１つのコーデックの種類を抽出する。応答情報生成部１２２は、第２受信部１１２が受信したパケットを構成するヘッダとペイロードのうち、パケットのヘッダを書き換えて、書き換えられたヘッダを当該ペイロードに付与して応答情報を生成する。
【００１７】
〈着信試験〉
呼び返し部１２３は、第１受信部１１１が受信した接続要求情報のヘッダに含まれる発信元を着信先にし、接続要求情報のヘッダに含まれる着信先を発信元にしたヘッダを生成し、当該ヘッダを第１受信部１１１が受信した接続要求情報のコーデック情報に付与する。
【００１８】
送信部１３０は、第１送信部１３１、第２送信部１３２、第３送信部１３３を有し、疎通試験装置１００から各端末装置（２００〜２４０）に各種情報を送信する。
第１送信部１３１は、コーデック情報抽出部１２１によって抽出されたコーデック情報を接続要求情報を送信した端末装置に送信する。
第２送信部１３２は、応答情報生成部１２２によって生成された応答情報を端末装置に送信する。この第２送信部は、第２受信部がパケットを受信してから一定時間経過した後に、応答情報を端末装置に送信する。
第３送信部１３３は、呼び返し部１２３によってヘッダが付与されたコーデック情報を端末装置に送信する。
【００１９】
次に、上述した構成における疎通試験装置１００の動作について説明する。
図３は、発信試験機能を実施する場合における疎通試験装置１００の動作を説明するシーケンス図である。ここでは、端末装置２１０と疎通試験装置１００との間において疎通試験を行う場合を一例として説明する。
疎通試験を行うにあたり、端末装置２１０は、自身に搭載されたコーデックの種類を含むＳＤＰが記述されたＩＮＴＩＶＥを接続要求情報として疎通試験装置１００に送信する（ステップＳ１００）。疎通試験装置１００の送信データ生成部１２０は、受信部１１０を介してＩＮＴＩＶＥを受信すると、送信部１３０によって１００Ｔｒｙｉｎｇを端末装置２１０に送信するとともに（ステップＳ１１０）、１８０ｒｉｎｇｉｎｇを送信する（ステップＳ１２０）。
【００２０】
次に、送信データ生成部１２０のコーデック情報抽出部１２１は、受信したＩＮＶＩＴＥに含まれる情報に基づいて、コーデック情報を抽出する。ここで、図３符号ａに、ＩＮＶＩＴＥのＳＤＰが記述された内容の一例を示す。このＳＤＰには、Ｇ．７１１．１であるコーデックを表すコーデックＡ、Ｇ．７１１μｌａｗであるコーデックを表すコーデックＢが順に記述されている。送信データ生成部１２０のコーデック情報抽出部１２１は、コーデックＡ（Ｇ．７１１．１）とコーデックＢ（Ｇ．７１１μｌａｗ）とのうち、末尾側に記述されたコーデックＢについて削除して、先頭側の行に記述されたコーデックＡを抽出する。この抽出された情報の一例を図３符号ｂに示す。
【００２１】
コーデック情報が抽出されると、送信部１３０の第１送信部１３１は、抽出されたコーデックを含む２００ＯＫを端末装置２１０に送信する（ステップＳ１３０）。
端末装置２１０は、この２００ＯＫを受信すると、受信した２００ＯＫから、コーデック情報を参照する。ここでは、コーデックＡが参照される。そして、端末装置２１０は、コーデックＡに対応する試験用データを生成し、これをペイロードに含め、このペイロードにＲＴＰ（Ｒｅａｌ−Ｔｉｍｅ  ｔｒａｎｓｐｏｒｔ  Ｐｒｏｔｏｃｏｌ）ヘッダを付与し、疎通試験装置１００にＲＴＰパケットとして送信する（ステップＳ１４０）。ここでは、コーデックＡであるＧ．７１１．１のコーデックに対応した試験用データが含まれる。
【００２２】
疎通試験装置１００において、受信部１１０の第２受信部１１２は、端末装置２１０から送信されるＲＴＰパケットを受信する。
送信データ生成部１２０の応答情報生成部１２２は、第２受信部１１２が受信したＲＴＰパケットを構成するＲＴＰヘッダとペイロードとのうち、ＲＴＰヘッダの一部を書き換える。ここでは、ＲＴＰヘッダの書き換えの一例を図３符号ｃに示す。ここでは、応答情報生成部１２２は、ＳＳＲＣ（Ｓｙｎｃｈｒｏｎｉｚａｔｉｏｎ  Ｓｏｕｒｃｅ  Ｉｄｅｎｔｉｆｉｅｒ）について、次に送信する情報に対応するパラメータになるように書き換え処理を行い、Ｔｉｍｅ  ＳｔａｍｐとＳｅｑｕｅｎｃｅ  Ｎｕｍｂｅｒについて、書き換え処理を行わないで、新たなＲＴＰヘッダを生成する。新たなＲＴＰヘッダが生成されると、応答情報生成部１２２は、第２受信部によって受信したＲＴＰパケットのペイロードをコピーし、このコピーされたペイロードに、新たなＲＴＰヘッダを付与して、新たなＲＴＰパケットを生成する。
送信部１３０の第２送信部１３２は、応答情報生成部１２２によって生成された新たなＲＴＰパケットを、第２受信部１１２がＲＴＰパケットを受信してから一定時間を経過した後に、端末装置２１０宛にＲＴＰとして送信する（ステップＳ１５０）。
【００２３】
端末装置２１０は、疎通試験装置１００から送信されるＲＴＰを受信し、このＲＴＰパケットに含まれる試験用データに応じた出力を行う。この出力が行われると、端末装置２１０は、ＢＹＥを疎通試験装置１００に送信する（ステップＳ１６０）。疎通試験装置１００は、端末装置２１０から送信されたＢＹＥを受けて、２００ＯＫを端末装置２１０に送信する（ステップＳ１７０）。
【００２４】
図４は、着信試験機能を実施する場合における疎通試験装置１００の動作を説明する図である。ここでは、端末装置２１０と疎通試験装置１００との間において疎通試験を行う場合を一例として説明する。この実施形態においては、端末装置２１０と疎通試験装置１００との間において発信試験が行われた時の情報を利用して着信試験を行う。
ここではまず、端末装置２１０と疎通試験装置１００との間において、発信試験が行われる。すなわち、端末装置２１０から疎通試験装置１００にＩＮＶＩＴＴＥが送信されると（ステップＳ２００）、疎通試験装置１００から１００Ｔｒｙｉｎｇが送信され（ステップＳ２１０）、１８０ｒｉｎｇｉｎｇが送信され（ステップＳ２２０）、２００ＯＫが送信される（ステップＳ２３０）。そして、端末装置２１０からＲＴＰが送信されると（ステップＳ２４０）、疎通試験装置１００から応答用のＲＴＰが送信される。これを受けて、端末装置２１０は、疎通試験装置１００にＢＹＥを送信し（ステップＳ２５０）、疎通試験装置１００は、２００ＯＫを端末装置２１０に送信する（ステップＳ２６０）。
【００２５】
上述の発信試験が行われた際、送信データ生成部１２０の呼び返し部１２３は、端末装置２１０から送信されたＩＮＶＩＴＥのコピーを自身に設けられたメモリ領域に記憶する。この記憶された情報の一例を図４符号ａに示す。このＩＮＶＩＴＥは、ヘッダ（図４符号ｂ）とコーデック情報（図４符号ｃ）とが含まれる。呼び返し部１２３は、送信元が端末装置２１０であり、着信先が疎通試験装置１００であるＩＮＶＩＴＥのパケットに含まれるヘッダを、送信元を疎通試験装置１００、着信先を端末装置２１０に書き換えて、新たなヘッダ（図４符号ｄ）を生成する。そして、記憶されたＩＮＶＩＴＥのコピーのうち、コーデック情報に対し、生成された新たなヘッダを付与する。この新たなヘッダが付与されたコーデック情報を図４符号ｅに示す。
【００２６】
次に、着信試験が開始されると、疎通試験装置１００は、着信試験を行う対象の端末装置２１０に、ＩＮＶＩＴＥを送信する（ステップＳ３００）。ここで、送信部１３０の第３送信部１３３は、新たなヘッダが付与されたコーデック情報（図４符号ｅ）をＩＮＶＩＴＥ（図４符号ｆ）に含めて送信する。このＩＮＶＩＴＥを受け、端末装置２１０は、疎通試験装置１００に対し、１００Ｔｒｙｉｎｇを送信し（ステップＳ３１０）、１８０ｒｉｎｇｉｎｇを送信し（ステップＳ３２０）、２００ＯＫを送信し（ステップＳ３３０）、ＲＴＰを送信する（ステップＳ３４０）。このＲＴＰを受けて、疎通試験装置１００は、応答用のＲＴＰを端末装置２１０に送信する。そして、端末装置２１０から疎通試験装置１００にＢＹＥが送信されると（ステップＳ３５０）、疎通試験装置１００は、２００ＯＫを端末装置２１０に送信する（ステップＳ３６０）。
【００２７】
以上説明したように、上述の実施形態によれば、任意の端末装置からの着信に対応し、コーデックを選択し受信した試験用データをそのまま折り返して送信するようにしたので、様々なコーデックで発信試験ができる。
既存技術では、端末装置（電話端末）と同じ機能を実装し通話接続時の電文と試験用データを新規に生成し送信するが、上述した実施形態によれば、受信した情報を利用して送信する情報を生成し、試験用データについては、その受信したものをヘッダのみ書き換えてそのまま送信する。これにより、既存の疎通試験装置では、一般の電話（Ｇ.７１１μｌａｗ）しか試験できなかったが、上述した実施形態によれば、他のコーデック（高音質電話（Ｇ．７１１．１）や映像通話（ＭＰＥＧ−４  Ｖｉｓｕａｌ））を利用している様々な端末で試験を実施することができる。
【００２８】
また、様々なコーデックを含むＳＤＰが記載された接続要求情報に対して、コーデックを選択し、ＳＤＰをコピーして応答する情報を生成するようにした。ここでは、接続要求情報に含まれるコーデックを含むＳＤＰをコピーして応答する情報を生成して端末装置に送信し、これに対して端末装置から送信されるＲＴＰパケットに対し、受信したＲＴＰパケットのペイロードはそのままでヘッダを変更し、端末装置に送信するようにしたので、端末装置から送信されるＳＤＰに複数のコーデックが含まれていても、また、未知のコーデックが含まれていても、疎通試験を実施することができる。
【００２９】
また、発信確認試験で受信したＩＮＶＩＴＥからＳＤＰを抽出し、ヘッダの発信元・宛先等の情報を書き換えて、受信したコーデックで呼び返しを行うようにしたので、発信試験後、疎通試験装置から任意の端末装置に発信し、着信試験を行うことが可能となった。このように、疎通試験装置が試験用データ（音声・映像等のＲＴＰパケット）を端末装置に、そのまま折り返すようにしたので、端末装置に対応するコーデックを持つ必要がなくなり、様々なコーデックに対して発信試験を実施することが可能になる。また、この場合、新たなコーデックが提供された場合であっても、試験対象である端末装置から送信される試験用データを利用すればよいので、そのコーデックに対応した疎通試験装置を新たに設ける必要がない。
【００３０】
また、上述の実施形態によれば、疎通試験装置１００は、第２受信部１１２によってＲＴＰパケットを受信してから一定時間経過した後に、端末装置に応答するようにした。接続要求情報を受信して直ちに応答パケットを送信すると、端末装置側のスピーカーの音がマイクに回り込んでハウリングが発生してしまうが、上述の構成により、ハウリングを防止することができる。
【００３１】
また、上述の実施形態によれば、受信部が受信した接続要求情報のヘッダに含まれる発信元を着信先にし、接続要求情報のヘッダに含まれる着信先を発信元にしたヘッダを生成し、当該ヘッダをコーデック情報に付与し、着信試験を開始する際に、このヘッダが付与されたコーデック情報を送信するようにしたので、着信試験も実施することができる。
【００３２】
なお、上述した実施形態においては、端末装置から送信された接続要求情報のコーデック情報に２つのコーデックが含まれている場合について説明したが、３つ以上含まれている場合であっても対応可能である。例えば、３つのコーデックが含まれている場合には、そのなかからいずれか１つを抽出すればよい。いずれか１つのコーデックの種類を抽出し、抽出されたコーデック情報にヘッダを付与して端末装置に送信するようにしたので、複数種類のコーデックに対応した端末装置に対しても、疎通試験を行うことができる。
【００３３】
送信部１３０の第２送信部１３２は、一定時間が経過した後にＲＴＰパケットを送信する場合について説明したが、この一定時間は、予め決められた時間であってもよい。また、一定時間が経過したか否かについては、第２送信部１３２にタイマを設けておき、送信データ生成部１２０からＲＴＰパケットを受け取った時点、あるいは、第２受信部１１２がＲＴＰを受信した時点からカウントを開始し、カウント値が所定の値に達した場合に一定時間が経過したことを検出し、ＲＴＰパケットの送信を行うようにしてもよい。
【００３４】
なお、ユーザ宅に音声や映像を出力する映像端末、電話機等、種々のコーデックの端末装置が設置される事が想定され、端末装置の正常性を確認するため疎通試験が必要となるが、本発明によって種々のコーデックの疎通試験を行うことができる。
例えば、映像端末同士がユーザ間において接続され、映像と音声を互いに送受信している場合、いずれか一方の映像が正常に出力されない場合において、送信側の端末装置に故障が発生したために受信側の端末装置において正常に映像が出力されないのか、あるいは、受信側の端末装置に故障が発生したために送信側から送信された映像を正常に出力できないのか、判別できない場合であっても、疎通試験装置１００を用いて疎通試験を実施することによって、いずれの端末装置に異常が発生しているのかを把握することができる。
【００３５】
以上、この発明の実施形態について図面を参照して詳述してきたが、具体的な構成はこの実施形態に限られるものではなく、この発明の要旨を逸脱しない範囲の設計等も含まれる。
【符号の説明】
【００３６】
１  疎通試験システム                          １００  疎通試験装置
１１０  受信部                                １１１  第１受信部
１１２  第２受信部                            １２０  送信データ生成部
１２１  コーデック情報抽出部                  １２２  応答情報生成部
１２３  呼び返し部                            １３０  送信部
１３１  第１送信部                            １３２  第２送信部
１３３  第３送信部
２００、２１０、２２０、２３０、２４０  端末装置
３００  ネットワーク
【図１】
2011176620.tif 000003
【図２】
2011176620.tif 000004
【図３】
2011176620.tif 000005
【図４】
2011176620.tif 000006